【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
構造（ＳＥ１−ＭＬ−リンカーＬ−リガンド２−ＳＥ２）の複合材料ユニット（ＣＭＵ）において、
ＭＬは機械的リガンドであって、構造実体ＳＥ１と機械的結合を形成する化学実体であり、ＭＬはナノチューブではなく、
リンカーＬは、ＭＬとリガンド２とを共有結合により連結する化学結合または化学実体であり、
リガンド２は、構造実体ＳＥ２に共有結合するかまたは構造実体ＳＥ２と機械的結合を形成する化学実体であり、
ＳＥ１およびＳＥ２は構造実体であり、
ＳＥ１はカーボンナノチューブであり、かつＭＬは該カーボンナノチューブの周りの共有結合性閉環であり、
構造実体ＳＥ２はポリマーであるか、あるいは構造実体ＳＥ２はカーボンナノチューブである、複合材料ユニット（ＣＭＵ）。
【請求項２】
構造実体ＳＥ２が、エポキシ、ポリベンゾイミダゾール、ポリエチレン、ポリカーボネート、ポリエチレンテレフタレート、ポリプロピレン、ポリエステル、ポリスチレン、ポリオレフィン、ポリ塩化ビニル、ビニルエステル、ポリアミド、ポリエーテルケトンケトン、ポリ（メチルメタクリレート）、ポリアミドイミド、ポリアリールエーテルエーテルケトン、ポリエーテルイミド、ポリイミド、ポリオキシメチレン、ポリフェニレンスルフィド、ポリテトラフルオロエチレン、ナイロン、およびアクリロニトリル・ブタジエン・スチレンから選択される、請求項１に記載の複合材料ユニット（ＣＭＵ）。
【請求項３】
構造実体ＳＥ２が機械的リガンドによって拘束されている、請求項１または２に記載の複合材料ユニット（ＣＭＵ）。
【請求項４】
ＭＬが、ピレンモチーフ、ニトロベンゼンモチーフ、フェナントレンモチーフ、ナフタレンモチーフ、および／またはテトラチアフルバレンモチーフを含む、請求項１〜３のいずれか一項に記載の複合材料ユニット（ＣＭＵ）。
【請求項５】
ＭＬが、５０ダルトン（Ｄａｌ）超の、構造実体ＳＥ２の一部と同一である化学部分を含む、請求項１〜４のいずれか一項に記載の複合材料ユニット（ＣＭＵ）。
【請求項６】
構造実体ＳＥ１が、単層カーボンナノチューブ（ＳＷＮＴ）または多層カーボンナノチューブ（ＭＷＮＴ）である、請求項１〜５のいずれか一項に記載の複合材料ユニット（ＣＭＵ）。
【請求項７】
ＭＬが、１００〜２００Ｄａｌ、または２００〜３００Ｄａｌ、または３００〜５００Ｄａｌ、または５００〜８００Ｄａｌ、または８００〜１２００Ｄａｌ、または１２００〜２０００Ｄａｌ、または２０００〜４０００Ｄａｌ、または４０００〜１００００Ｄａｌの分子量（ＭＷ）を有し、前記分子量は、構造実体ＳＥ１の周りに環を形成する共有結合原子の最短列を構成する原子の総分子量である、請求項１〜６のいずれか一項に記載の複合材料ユニット（ＣＭＵ）。
【請求項８】
少なくとも２個のＳＥ２が同じＳＥ１につながっている、請求項１〜７のいずれか一項に記載の複合材料ユニット（ＣＭＵ）。
【請求項９】
少なくとも２個のＳＥ１が同じＳＥ２につながっている、請求項１〜８のいずれか一項に記載の複合材料ユニット（ＣＭＵ）。
【請求項１０】
構造実体ＳＥ１が、２個以上の機械的リガンドによって拘束されている、請求項１〜９のいずれか一項に記載の複合材料ユニット（ＣＭＵ）。
【請求項１１】
少なくとも１０８の複合材料ユニット（ＣＭＵ）を含み、前記複合材料ユニット（ＣＭＵ）が請求項１〜１０のいずれか一項に記載の複合材料ユニット（ＣＭＵ）である、複合材料。
【請求項１２】
前記複合材料の立方ミリメートル当たり少なくとも１０４のＣＭＵを含む、請求項１１に記載の複合材料。
【請求項１３】
少なくとも１０３ｓ／ｍの導電率を有する、請求項１１または１２に記載の複合材料。
【請求項１４】
少なくとも１ＭＰａのねじり強度を有する、請求項１１〜１３のいずれか一項に記載の複合材料。
【請求項１５】
少なくとも０．０１ＧＰａのヤング率を有する、請求項１１〜１４のいずれか一項に記載の複合材料。
【請求項１６】
シリカ、ケイ酸塩、砂、アルミノケイ酸塩、石英、またはフリントを、複合材料中に少なくとも０．０１重量％の濃度で含む、請求項１１〜１５のいずれか一項に記載の複合材料。
【請求項１７】
セラミックマトリックス複合材料または金属マトリックス複合材料である、請求項１１〜１６のいずれか一項に記載の複合材料。
【請求項１８】
請求項１〜９のいずれか一項に記載の複合材料ユニット（ＣＭＵ）を調製する方法であって、
ａ．第１の構造実体（ＳＥ１）を提供するステップ、
ｂ．第２の構造実体（ＳＥ２）を提供するステップ、
ｃ．リンカーであるリンカーＬを提供するステップ、
ｄ．前駆体ＭＬまたはＭＬを提供するステップ、
ｅ．リガンド２を提供するステップ、
ｆ．提供された構造実体、リンカーおよびリガンドを任意の順序で反応させて、構造（ＳＥ１−ＭＬ−リンカーＬ−リガンド２−ＳＥ２）の複合材料ユニット（ＣＭＵ）を形成するステップ
を含み、前記第１の構造実体（ＳＥ１）、第２の構造実体（ＳＥ２）、リンカーＬ、ＭＬおよびリガンド２は、請求項１〜９で定義した通りである、方法。
【請求項１９】
１つまたは複数の請求項１〜９のいずれか一項に記載の複合材料ユニットを含む、カーボンナノチューブ（ＣＮＴ）強化ポリマー。
【請求項２０】
ＳＥ１が、少なくとも１００のアスペクト比を有するナノチューブである、請求項１〜９のいずれか一項に記載の複合材料ユニット（ＣＭＵ）。
【請求項２１】
構造（ＳＥ１−ＭＬ−リンカー−リガンド２−ＳＥ２−リガンド２−リンカー−ＭＬ−）ｎ−ＳＥ１の、ＣＭＵのポリマー構造体であって、ＳＥ１、ＭＬ、リンカー、およびリガンド２は請求項１〜９で定義した通りであり、ｎは２以上の任意の整数である、ポリマー構造体。
【請求項２２】
ＳＥ１はカーボンナノチューブであり、ＳＥ２はカーボンナノチューブではなく、ｎ＝２、３、４またはそれ以上である、請求項２１に記載のＣＭＵのポリマー構造体。
【請求項２３】
ＳＥ１はカーボンナノチューブであり、ＳＥ２は別のカーボンナノチューブであり、ｎ＝２、３、４またはそれ以上である、請求項２１に記載のＣＭＵのポリマー構造体。
【請求項２４】
構造（ＳＥ１−ＭＬ−リンカー−リガンド２−ＳＥ２−リガンド２−リンカー−ＭＬ−）ｎ−ＳＥ１の中のすべてのＳＥ１が別個の異なる分子であり、かつ構造（ＳＥ１−ＭＬ−リンカー−リガンド２−ＳＥ２−リガンド２−リンカー−ＭＬ−）ｎ−ＳＥ１の中のすべてのＳＥ２が別個の異なる分子である、請求項２１〜２３に記載のＣＭＵのポリマー構造体。
【手続補正２】
【補正対象書類名】明細書
【補正対象項目名】６６８７
【補正方法】変更
【補正の内容】
【６６８７】
図３３．前駆体MLの適切な設計により、ナノチューブ結合部分を含まないナノチューブベースのCMUおよびナノチューブ複合材料が可能になる。A.この場合の前駆体MLには、部分（x）を介して残りの前駆体MLに接続されている一つのナノチューブ結合部分（NB）のみがある。NBはナノチューブに結合し、前駆体MLのもう一端も結合し、部分（y）を保持する。前駆体Mlの二つの端部が近接しており、前駆体MLがナノチューブの周りを覆っている。（x）と（y）は反応基を運ぶ;（x）と（y）の反応基間の反応により、前駆体MLの環化が発生し、共有結合で閉環（ML）が形成される。置換反応（例えば、アシル化）など多種類の反応を行うと、前駆体MLの末端からNBが切断される。B.これは（a）に適用される原則の変形である。ここに（x）と（y）が互いに近接する可能性を高める可能性が高い二つのNBがあるため、（x）と（y）の間の反応の効率を向上する可能性がある。（x）と（y）の間の反応はNBを切断し、反応および洗浄後の最終生成物はナノチューブ結合ドメインを含まない。C.化合物の合成（281-A）と（281-B））の合成。D.A.化合物（281-A）に記載されている一般原則の特定のバリエーションはCNTと混合される。ピレン（NB部分）はCNTに結合し、二つの二重結合が反応し、それによって新しい二重結合が形成され、ピレンを切断する。これは、上記のBで説明した一般原則の特定の変形である。化合物（281-B）をCNTと混合すると、ピレン（NB部分）はCNTに結合し、化合物（281-B）のもう一方の端が近接しているような状況では、前駆体MLがCNTを包囲し、二つの二重結合は反応し、それによって新しい二重結合が形成され、ピレンを切断する。F.化合物（282）の合成。G.アシル化は、ナノチューブの周りの閉環のために、一つのナノチューブ結合部分（図46,Gの上部）または二つのナノチューブ結合部分（図46,Gの下部）を備えた前駆体MLを使用する。
最後に、本発明の好ましい実施態様を項分け記載する。
［実施態様１］
構造（ＳＥ１−ＭＬ−リンカーＬ−リガンド２−ＳＥ２）の複合材料ユニット（ＣＭＵ）において、
ＭＬは機械的リガンドであって、構造実体ＳＥ１と機械的結合を形成する化学実体であり、ＭＬはナノチューブではない、
リンカーＬは、ＭＬとリガンド２とを共有結合により連結する化学結合または化学実体であり、
リガンド２は、構造実体ＳＥ２に共有結合するかまたは構造実体ＳＥ２と機械的結合を形成する化学実体であり、
ＳＥ１およびＳＥ２は構造実体である、複合材料ユニット（ＣＭＵ）。
［実施態様２］
ＳＥ１はカーボンナノチューブであり、ＭＬは前記カーボンナノチューブの周りの共有結合性閉環である、実施態様１に記載の複合材料ユニット（ＣＭＵ）。
［実施態様３］
構造実体ＳＥ２はポリマーである、実施態様１または２に記載の複合材料ユニット（ＣＭＵ）。
［実施態様４］
構造実体ＳＥ２は、エポキシ、ポリベンゾイミダゾール、ポリエチレン、ポリカーボネート、ポリエチレンテレフタレート、ポリプロピレン、ポリエステル、ポリスチレン、ポリオレフィン、ポリ塩化ビニル、ビニルエステル、ポリアミド、ポリエーテルケトンケトン、ポリ（メチルメタクリレート）、ポリ（メチルメタクリレート）、ポリアミドイミド、ポリアリールエーテルエーテルケトン、ポリエーテルイミド、ポリイミド、ポリオキシメチレン、ポリフェニレンスルフィド、ポリテトラフルオロエチレン、ナイロン、およびアクリロニトリル・ブタジエン・スチレンから選択される、実施態様１〜３のいずれかに記載の複合材料ユニット（ＣＭＵ）。
［実施態様５］
構造実体ＳＥ２はカーボンナノチューブである、実施態様１または２に記載の複合材料ユニット（ＣＭＵ）。
［実施態様６］
構造実体ＳＥ２が機械的リガンドによって拘束されている、実施態様１〜５のいずれかに記載の複合材料ユニット（ＣＭＵ）。
［実施態様７］
ＭＬは、ピレンモチーフ、ニトロベンゼンモチーフ、フェナントレンモチーフ、ナフタレンモチーフ、および／またはテトラチアフルバレンモチーフを含む、実施態様１〜６のいずれかに記載の複合材料ユニット（ＣＭＵ）。
［実施態様８］
ＭＬは、５０ダルトン（Ｄａｌ）超、たとえば１００Ｄａｌ超、たとえば２００Ｄａｌ超、たとえば３００Ｄａｌ超、たとえば４００Ｄａｌ超、たとえば５００Ｄａｌ超の、構造実体ＳＥ２の一部と同一である化学部分を含む、実施態様１〜７のいずれかに記載の複合材料ユニット（ＣＭＵ）。
［実施態様９］
構造実体ＳＥ１は、単層カーボンナノチューブ（ＳＷＮＴ）または多層（ＭＷＮＴ）カーボンナノチューブである、実施態様１〜８のいずれかに記載の複合材料ユニット（ＣＭＵ）。
［実施態様１０］
ＭＬは構造実体ＳＥ１の周りの共有結合性閉環であり、１００〜２００Ｄａｌ、または２００〜３００Ｄａｌ、または３００〜５００Ｄａｌ、または５００〜８００Ｄａｌ、または８００〜１２００Ｄａｌ、または１２００〜２０００Ｄａｌ、または２０００〜４０００Ｄａｌ、または４０００〜１００００Ｄａｌの分子量（ＭＷ）を有し、前記分子量は、構造実体ＳＥ１の周りに環を形成する共有結合原子の最短列を構成する原子の総分子量である、実施態様１〜９のいずれかに記載の複合材料ユニット（ＣＭＵ）。
［実施態様１１］
少なくとも２個のＳＥ２、たとえば少なくとも５個のＳＥ２、たとえば少なくとも１０個のＳＥ２、たとえば少なくとも５０個のＳＥ２が、同じＳＥ１につながっている、実施態様１〜１０のいずれかに記載の複合材料ユニット（ＣＭＵ）。
［実施態様１２］
少なくとも２個のＳＥ１、たとえば少なくとも５個のＳＥ１、たとえば少なくとも１０個のＳＥ１、たとえば少なくとも５０個のＳＥ１が、同じＳＥ２につながっている、実施態様１〜１１のいずれかに記載の複合材料ユニット（ＣＭＵ）。
［実施態様１３］
構造実体ＳＥ１は、２個以上の機械的リガンド、たとえば２個超の機械的リガンド、たとえば５個超の機械的リガンド、たとえば１０個超の機械的リガンド、たとえば３０個超の機械的リガンド、たとえば１００個超の機械的リガンド、たとえば３００個超の機械的リガンド、たとえば５００個超の機械的リガンド、たとえば１０００個超の機械的リガンドによって拘束されている、実施態様１〜１２のいずれかに記載の複合材料ユニット（ＣＭＵ）。
［実施態様１４］
ＳＥ２はナノチューブではない、実施態様１〜４および６〜１３のいずれかに記載の複合材料ユニット（ＣＭＵ）。
［実施態様１５］
少なくとも１０８の複合材料ユニット（ＣＭＵ）、たとえば少なくとも１０９のＣＭＵ、たとえば少なくとも１０１０のＣＭＵ、たとえば少なくとも１０１１のＣＭＵ、たとえば少なくとも１０１２のＣＭＵ、たとえば少なくとも１０１３のＣＭＵ、たとえば少なくとも１０１４のＣＭＵ、たとえば少なくとも１０１５のＣＭＵ、たとえば少なくとも１０１６のＣＭＵ、たとえば少なくとも１０１７のＣＭＵ、たとえば少なくとも１０１８のＣＭＵ、たとえば少なくとも１０１９のＣＭＵ、たとえば少なくとも１０２０のＣＭＵ、たとえば少なくとも１０２１のＣＭＵ、たとえば少なくとも１０２２のＣＭＵを含み、前記複合材料ユニット（ＣＭＵ）は実施態様１〜１４のいずれかに記載の複合材料ユニット（ＣＭＵ）である、複合材料。
［実施態様１６］
前記複合材料の立方ミリメートル当たり少なくとも１０４のＣＭＵ、たとえば立方ミリメートル当たり少なくとも１０５のＣＭＵ、たとえば立方ミリメートル当たり少なくとも１０６のＣＭＵ、たとえば立方ミリメートル当たり少なくとも１０７のＣＭＵ、たとえば立方ミリメートルあたり少なくとも１０８のＣＭＵ、たとえば立方ミリメートルあたり少なくとも１０９のＣＭＵ、たとえば立方ミリメートルあたり少なくとも１０１０のＣＭＵ、たとえば立方ミリメートルあたり少なくとも１０１１のＣＭＵ、たとえば立方ミリメートルあたり少なくとも１０１２のＣＭＵ、たとえば立方ミリメートルあたり少なくとも１０１３のＣＭＵ、たとえば立方ミリメートルあたり少なくとも１０１４のＣＭＵ、たとえば立方ミリメートルあたり少なくとも１０１５のＣＭＵ、たとえば立方ミリメートルあたり少なくとも１０１６のＣＭＵ、たとえば立方ミリメートルあたり少なくとも１０１７のＣＭＵ、たとえば立方ミリメートルあたり少なくとも１０１８のＣＭＵ、たとえば立方ミリメートル当たり少なくとも１０１９のＣＭＵを含む、実施態様１５に記載の複合材料。
［実施態様１７］
少なくとも１０３ｓ／ｍの導電率、たとえば少なくとも１０４ｓ／ｍ、たとえば少なくとも１０５ｓ／ｍ、少なくとも１０６ｓ／ｍ、たとえば少なくとも１０７ｓ／ｍ、たとえば少なくとも１０８ｓ／ｍ、たとえば少なくとも１０９ｓ／ｍの導電率を有する、実施態様１５または１６に記載の複合材料。
［実施態様１８］
少なくとも１ＭＰａのねじり強度、たとえば少なくとも１０ＭＰａ、たとえば少なくとも１００ＭＰａ、たとえば少なくとも１００ＭＰａ、たとえば少なくとも１００ＭＰａ、たとえば少なくとも３００ＭＰａ、たとえば少なくとも６００ＭＰａ、たとえば少なくとも９００ＭＰａ、たとえば少なくとも１２００ＭＰａ、たとえば少なくとも１５００ＭＰａ、たとえば少なくとも２０００ＭＰａのねじり強度を有する、実施態様１５〜１７のいずれかに記載の複合材料。
［実施態様１９］
少なくとも０．０１ＧＰａのヤング率、たとえば少なくとも０．１ＧＰａ、たとえば少なくとも０．５ＧＰａ、たとえば少なくとも１ＧＰａ、たとえば少なくとも１．５ＧＰａ、たとえば少なくとも２ＧＰａ、たとえば少なくとも３ＧＰａのヤング率を有する、実施態様１５〜１８のいずれかに記載の複合材料。
［実施態様２０］
シリカ、ケイ酸塩、砂、アルミノケイ酸塩、石英、またはフリントを、複合材料中に少なくとも０．０１重量％の濃度で含む、実施態様１５〜１９のいずれかに記載の複合材料。
［実施態様２１］
セラミックマトリックス複合材料または金属マトリックス複合材料である、実施態様１５〜２０のいずれかに記載の複合材料。
［実施態様２２］
ＭＬ−リンカーＬ−リガンド２の構造を有するリンカーユニット（ＬＵ）において、
ＭＬは機械的リガンドであって、構造実体と機械的結合を形成できる化学実体であり、
リンカーＬは、ＭＬとリガンド２とを連結する化学結合または化学実体であり、
リガンド２は、構造実体に共有結合または非共有結合することができるかあるいは構造実体と機械的結合を形成することができる化学実体である、リンカーユニット（ＬＵ）。
［実施態様２３］
構造（ＳＥ１−ＭＬ−リンカーＬ−リガンド２）において、ＳＥ１は第１の構造実体であり、ＭＬはＳＥ１に結合する実施態様２２で定義される実体であり、リガンド２は第２の構造実体ＳＥ２に結合することができる実施態様２２で定義される実体であり、リンカーＬはＭＬとリガンド２とを連結する実施態様２２で定義される化学実体である、構造。
［実施態様２４］
構造（ＳＥ１−ＭＬ−リンカーＬ−リガンド２−ＳＥ２）の複合材料ユニット（ＣＭＵ）において、ＳＥ１およびＳＥ２は構造実体であり、ＭＬおよびリガンド２は、それぞれＳＥ１およびＳＥ２に結合する実施態様２２で定義される化学実体であり、リンカーＬはＭＬとリガンド２とを物理的に連結する実施態様２２で定義される化学実体である、複合材料ユニット（ＣＭＵ）。
［実施態様２５］
構造実体ＳＥ１はナノチューブであり、ＭＬはＳＥ１の周りの共有結合性閉環である、実施態様２４に記載の複合材料ユニット（ＣＭＵ）。
［実施態様２６］
ＭＬは、ピレンモチーフ、ニトロベンゼンモチーフ、フェナントレンモチーフ、ナフタレンモチーフ、および／またはテトラチアフルバレンモチーフを含む、実施態様２４または実施態様２５に記載の複合材料ユニット（ＣＭＵ）。
［実施態様２７］
ＳＥ２は、エポキシ、ポリプロピレン、ナイロン、およびポリ塩化ビニルなどのプラスチックポリマーであり、少なくとも１０，０００ダルトンの分子量（ＭＷ）を有する、実施態様２４〜２６のいずれかに記載の複合材料ユニット（ＣＭＵ）。
［実施態様２８］
前記閉環は、少なくとも４つのアミノ酸残基を含みかつ少なくとも２つの硫黄原子を含むペプチドを含み、前記２つの硫黄原子が反応してジスルフィド結合を形成している、実施態様２５に記載の複合材料ユニット（ＣＭＵ）。
［実施態様２９］
ＳＥ１および／またはＳＥ２は無機分子であり、好ましくは、カーボンナノチューブ、バッキーボールまたはグラフェン分子などのフラーレンである、実施態様２４、２５、２６および２８のいずれかに記載の複合材料ユニット。
［実施態様３０］
ＳＥ２はポリマーであり、好ましくは、ポリエチレン、ポリプロピレンおよびポリブテンなどのポリオレフィン、またはポリオレフィンのブレンドもしくはブロックコポリマーである、実施態様２４〜２８のいずれかに記載の複合材料ユニット。
［実施態様３１］
ＭＬはＳＥ１の周りの共有結合性閉環であり、該共有結合性閉環は、前駆体ＭＬがＳＥ１に結合する間または結合した後に前駆体ＭＬから形成される、実施態様２４〜３０のいずれかに記載の複合材料ユニット（ＣＭＵ）。
［実施態様３２］
ＭＬの分子量（ＭＷ）が２０００ダルトン未満である、実施態様２４〜３１のいずれかに記載の複合材料ユニット。
［実施態様３３］
ＳＥ１は、ナノチューブ、カーボンナノチューブ、バッキーボールまたはグラフェン分子であり、
ＳＥ２はポリマーであり、
ＭＬは、ＳＥ１に機械的に結合する化学実体であり、
リガンド２は、ＳＥ２に共有結合する化学実体であり、
リンカーＬは、ＭＬとリガンド２とを物理的に連結する実施態様１で定義される化学実体である、実施態様２４〜３２のいずれかに記載の構造（ＳＥ１−ＭＬ−リンカーＬ−リガンド２−ＳＥ２）の複合材料ユニット。
［実施態様３４］
１００万以上の実施態様２４〜３３のいずれかに記載の複合材料ユニットの構成。
［実施態様３５］
ＳＥ１およびＳＥ２のうちの少なくとも１つが少なくとも２つの他の構造実体とつながっている、２つ以上の実施態様２４〜３３のいずれかに記載の複合材料ユニットの構成。
［実施態様３６］
２つ以上の実施態様２４〜３３に記載の複合材料ユニットの構成を含む複合材料であって、ＳＥ１およびＳＥ２のうちの少なくとも１つが、少なくとも２つのリンカーユニット（ＬＵ）を介して少なくとも２つの他の構造実体とつながっている、複合材料。
［実施態様３７］
１００万以上の実施態様２４〜３３に記載の複合材料ユニットの構成を含む複合材料であって、前記複合材料ユニットのそれぞれにおいて、ＳＥ１およびＳＥ２のうちの少なくとも１つが、少なくとも２つのリンカーユニット（ＬＵ）を介して少なくとも２つの他の構造実体とつながっている、複合材料。
［実施態様３８］
実施態様２４〜３３のいずれかに記載の複合材料ユニット（ＣＭＵ）を調製する方法であって、以下のステップ：
ａ．第１の構造実体（ＳＥ１）を提供する、
ｂ．第２の構造実体（ＳＥ２）を提供する、
ｃ．リンカーであるリンカーＬを提供する、
ｄ．前駆体ＭＬまたはＭＬを提供する、
ｅ．リガンド２を提供する、
ｆ．提供された構造実体、リンカーおよびリガンドを任意の順序で反応させて、構造（ＳＥ１−ＭＬ−リンカーＬ−リガンド２−ＳＥ２）の複合材料ユニット（ＣＭＵ）を形成する
を含み、前記第１の構造実体（ＳＥ１）、第２の構造実体（ＳＥ２）、リンカーＬ、ＭＬおよびリガンド２は、実施態様２４〜３３で定義した通りである、方法。
［実施態様３９］
１つまたは複数の実施態様２４〜３３のいずれかに記載の複合材料ユニットを含む、カーボンナノチューブ（ＣＮＴ）強化ポリマー。
［実施態様４０］
構造実体と機械的結合を形成することができる機械的リガンド（ＭＬ）。
［実施態様４１］
ＳＥ１は、少なくとも１００のアスペクト比を有するナノチューブである、実施態様２４〜３３のいずれかに記載のＣＭＵ。
［実施態様４２］
構造（ＳＥ１−ＭＬ−リンカー−リガンド２−ＳＥ２−リガンド２−リンカー−ＭＬ−）ｎ−ＳＥ１の、ＣＭＵのポリマー構造体であって、ｎは１より大きい任意の整数である、ポリマー構造体。
［実施態様４３］
ＳＥ１はカーボンナノチューブであり、ＳＥ２はカーボンナノチューブではなく、ｎ＝２、３、４またはそれ以上である、実施態様４２に記載のＣＭＵのポリマー構造体。
［実施態様４４］
ＳＥ１はカーボンナノチューブであり、ＳＥ２は別のカーボンナノチューブであり、ｎ＝２、３、４またはそれ以上である、実施態様４２に記載のＣＭＵのポリマー構造体。
［実施態様４５］
構造（ＳＥ１−ＭＬ−リンカー−リガンド２−ＳＥ２−リガンド２−リンカー−ＭＬ−）ｎＳＥ１のすべてのＳＥ１が別個の異なるの分子であり、かつ構造（ＳＥ１−ＭＬ−リンカー−リガンド２−ＳＥ２−リガンド２−リンカー−ＭＬ−）ｎＳＥ１のすべてのＳＥ２が別個の異なる分子である、実施態様４２〜４４に記載のＣＭＵのポリマー構造体。